(57)【要約】      （修正有）【課題】発着時における蜂の体温低下を容易に抑制できる養蜂箱保温容器を提供する。【解決手段】養蜂箱保温容器１は、養蜂箱１００を収容するための空間２０を区画する底壁２１及び側壁２２を有する容器本体２を備える。側壁２２には、蜂が空間２０へ出入りするための出入口２３と、出入口２３の下端縁２３ａから、側壁２２の外側に突出した、蜂用の発着台３が設けられている。【選択図】図１
2020115836.tif 000002
【特許請求の範囲】
【請求項１】
養蜂箱を保温するための容器であって、
前記養蜂箱を収容するための空間を区画する底壁及び側壁を有する容器本体を備え、
前記側壁には、蜂が前記空間へ出入りするための出入口と、前記出入口の下端縁から、前記側壁の外側に突出した、前記蜂用の発着台とが設けられている、
養蜂箱保温容器。
【請求項２】
前記発着台の上面は、発泡樹脂によって形成されている、請求項１記載の養蜂箱保温容器。
【請求項３】
前記発着台の上面は、前記出入口の側から前記発着台の先端側に向って下方に傾斜する第１傾斜面を有する、請求項１又は２に記載の養蜂箱保温容器。
【請求項４】
前記出入口には、開閉可能な第１シャッターが設けられている、請求項１乃至３のいずれかに記載の養蜂箱保温容器。
【請求項５】
前記底壁には、前記空間内に溜まった水を前記容器本体の外部に排出するための水抜き口が設けられ、
前記底壁の内面は、前記出入口の側から前記水抜き口の側に向って下方に傾斜する第２傾斜面を有する、請求項１乃至４のいずれかに記載の養蜂箱保温容器。
【請求項６】
前記底壁の下面に装着されるスペーサーをさらに含み、
前記スペーサーは、前記底壁が前記スペーサーの側から前記水抜き口の側に向って下方に傾斜する姿勢で、前記容器本体を支持する、請求項５記載の養蜂箱保温容器。
【請求項７】
前記発着台の下面は、前記側壁の側から前記発着台の先端側に向って上方に傾斜する第３傾斜面を有する、請求項６記載の養蜂箱保温容器。
【請求項８】
前記容器本体の上部には、開口が形成され、
前記容器本体に着脱可能に装着される蓋部材をさらに備え、
前記空間と容器外部とを連通させる通気口が形成されている、請求項１乃至７のいずれかに記載の養蜂箱保温容器。
【請求項９】
前記通気口は、前記蓋部材が前記容器本体に装着される装着部に形成されている、請求項８記載の養蜂箱保温容器。
【請求項１０】
前記通気口は、前記側壁に設けられ、
前記通気口には、開閉可能な第２シャッターが設けられている、請求項８記載の養蜂箱保温容器。
【請求項１１】
前記容器本体には、前記容器本体を吊るすための紐が装着される、請求項１乃至１０のいずれかに記載の養蜂箱保温容器。
【請求項１２】
前記容器本体は、複数の板状部品に分解可能である、請求項１乃至１１のいずれかに記載の養蜂箱保温容器。
【発明の詳細な説明】
【技術分野】
【０００１】
本発明は、養蜂箱を保温するための養蜂箱保温容器に関する。
【背景技術】
【０００２】
従来から、養蜂箱の保温に関し、種々の提案がなされている。例えば、特許文献１には、巣箱を恒温箱に収納することにより、保温性を高める技術が開示されている。
【先行技術文献】
【特許文献】
【０００３】
【特許文献１】特許第４７６３４３４号公報
【発明の概要】
【発明が解決しようとする課題】
【０００４】
上記恒温箱には、蜂が出入りするための出入り口接続路が設けられている。出入り口接続路は、恒温箱の側面を厚さ方向に貫通している。しかしながら、同文献に開示されている形態にあっては、蜂の発着が困難となる。従って、発着時における蜂の体温低下によって蜂の寿命が短くなる虞がある。
【０００５】
本発明は、以上のような実状に鑑み案出されたもので、発着時における蜂の体温低下を容易に抑制できる養蜂箱保温容器を提供することを主たる目的としている。
【課題を解決するための手段】
【０００６】
本発明は、養蜂箱を保温するための容器であって、前記養蜂箱を収容するための空間を区画する底壁及び側壁を有する容器本体を備え、前記側壁には、蜂が前記空間へ出入りするための出入口と、前記出入口の下端縁から、前記側壁の外側に突出した、前記蜂用の発着台とが設けられている。
【０００７】
本発明に係る前記養蜂箱保温容器において、前記発着台の上面は、発泡樹脂によって形成されている、ことが望ましい。
【０００８】
本発明に係る前記養蜂箱保温容器において、前記発着台の上面は、前記出入口の側から前記発着台の先端側に向って下方に傾斜する第１傾斜面を有する、ことが望ましい。
【０００９】
本発明に係る前記養蜂箱保温容器において、前記出入口には、開閉可能な第１シャッターが設けられている、ことが望ましい。
【００１０】
本発明に係る前記養蜂箱保温容器において、前記底壁には、前記空間内に溜まった水を前記容器本体の外部に排出するための水抜き口が設けられ、前記底壁の内面は、前記出入口の側から前記水抜き口の側に向って下方に傾斜する第２傾斜面を有する、ことが望ましい。
【００１１】
本発明に係る前記養蜂箱保温容器において、前記底壁の下面に装着されるスペーサーをさらに含み、前記スペーサーは、前記底壁が前記スペーサーの側から前記水抜き口の側に向って下方に傾斜する姿勢で、前記容器本体を支持する、ことが望ましい。
【００１２】
本発明に係る前記養蜂箱保温容器において、前記発着台の下面は、前記側壁の側から前記発着台の先端側に向って上方に傾斜する第３傾斜面を有する、ことが望ましい。
【００１３】
本発明に係る前記養蜂箱保温容器において、前記容器本体の上部には、開口が形成され、前記容器本体に着脱可能に装着される蓋部材をさらに備え、前記空間と容器外部とを連通させる通気口が形成されている、ことが望ましい。
【００１４】
本発明に係る前記養蜂箱保温容器において、前記通気口は、前記蓋部材が前記容器本体に装着される装着部に形成されている、ことが望ましい。
【００１５】
本発明に係る前記養蜂箱保温容器において、前記通気口は、前記側壁に設けられ、前記通気口には、開閉可能な第２シャッターが設けられている、ことが望ましい。
【００１６】
本発明に係る前記養蜂箱保温容器において、前記容器本体には、前記容器本体を吊るすための紐が装着される、ことが望ましい。
【００１７】
本発明に係る前記養蜂箱保温容器において、前記容器本体は、複数の板状部品に分解可能である、ことが望ましい。
【発明の効果】
【００１８】
本発明の前記養蜂箱保温容器では、前記容器本体の前記側壁に、前記蜂が前記空間へ出入りするための前記出入口と、前記蜂用の前記発着台とが設けられている。前記発着台は、前記出入口の下端縁から、前記側壁の外側に突出している。これにより、前記蜂がスムーズに発着可能となり、発着時の前記蜂の体温が維持され、前記蜂の寿命が延びる。また、前記養蜂箱保温容器が地面に載置される環境にあっても、前記発着台が設けられることにより、発着時の前記蜂が前記地面に直接触れることがない。従って、前記地面との熱交換等による前記蜂の体温低下が抑制され、さらには、農薬や病原菌等の土壌からの汚染物質の暴露を抑制できる。
【図面の簡単な説明】
【００１９】
【図１】本発明の養蜂箱保温容器の一実施形態の概略構成を示す分解斜視図。
【図２】同養蜂箱保温容器の斜視図。
【図３】図１の発着台の側面図。
【図４】養蜂箱を収容した状態の養蜂箱保温容器を示す断面図。
【図５】図１の容器本体の一部を透視して示す斜視図。
【図６】図２の養蜂箱保温容器を下方から視た斜視図。
【図７】養蜂箱を収容した状態の養蜂箱保温容器を示す断面図。
【図８】発着台等が外された養蜂箱保温容器の側面図。
【図９】図１の容器本体の分解斜視図。
【発明を実施するための形態】
【００２０】
図１、２は、本発明の養蜂箱保温容器の一実施形態の概略構成を示している。養蜂箱保温容器１は、養蜂箱１００を保温するための容器である。
【００２１】
養蜂箱１００は、蜂の巣が収容される巣箱である。養蜂箱１００には、例えば、木製、段ボール製又は生物分解性プラスチック製等の既存の巣箱を適用可能である。本実施形態の養蜂箱１００は、特に、ビニールハウス（図示せず）等の温室内で栽培されるイチゴ、トマト等の受粉用のミツバチ及びマルハナバチの飼育に用いられる。なお、栽培される植物はイチゴ、トマトに限られることなく、花粉媒介（ポリネーション）用の蜂は、ミツバチ及びマルハナバチに限られない。
【００２２】
冬期の蜂にとって、体温の維持は重要である。蜂には、養蜂箱１００内の温度が低下等すると、体温を維持するために養蜂箱１００内で羽を振動させる等の運動を行う習性がある。このような運動による疲労は、蜂の寿命に影響を及ぼし、受粉のシーズンを終える前に蜂が死滅する虞があると考えられている。従って、蜂を長寿に保つには、養蜂箱１００内の温度を適正に維持管理する技術が重要となる。
【００２３】
養蜂箱保温容器１は、養蜂箱１００を収容する空間２０を有する容器本体２と、容器本体２に着脱自在に装着される蓋部材６とを備える。容器本体２及び蓋部材６は、例えば、発泡樹脂によって形成されている。発泡樹脂の具体例としては、例えば、発泡ポリスチレン、発泡ポリエチレン又は発泡ポリプロピレン等が挙げられる。
【００２４】
断熱性に優れた発泡樹脂を用いて、容器本体２及び蓋部材６を形成することにより、冬期においても養蜂箱１００が容易に保温され、内部の温度が適正に維持される。これにより、養蜂箱１００内での蜂の体温維持に必要とされる運動が抑制され、蜂の寿命が延びる。また、養蜂箱１００が蜂の繁殖に適した温度に保たれる。
【００２５】
容器本体２は、直方体状の空間２０を区画するための底壁２１及び側壁２２を有している。側壁２２は、底壁２１の周縁から略垂直に起立している。側壁２２は、容器本体２の長手方向に沿って延びる側壁２７と、容器本体２の短手方向に沿って延びる側壁２８とを有している。容器本体２の上部、すなわち、側壁２２の上端部に囲まれた領域には、養蜂箱１００を出し入れ可能な開口２６が形成されている。蓋部材６は、開口２６を閉じるように装着される。
【００２６】
側壁２２には、蜂が空間２０へ出入りするための出入口２３が設けられている。出入口２３は、側壁２２を厚さ方向に貫通して形成されている。本実施形態では、矩形状の出入口２３が形成されている。
【００２７】
側壁２２には、蜂用の発着台３が設けられている。蜂には、養蜂箱１００から外へ飛び立つ際に、その準備として羽を振動させながら身体を温める習性がある。本実施形態では、発着台３上にて、身体を温めることができるため、その後の飛翔がスムーズとなる。また、発着台３は、出入口２３の下端縁２３ａから、側壁２２の外側に突出している。これにより、蜂が発着台３にスムーズかつ速やかに着地可能となり、発着時の蜂の体温が維持され、蜂の寿命が延びる。
【００２８】
また、養蜂箱保温容器１が地面に載置される環境にあっても、発着台３が設けられることにより、発着時の蜂が地面に直接触れることがない。従って、地面との熱交換等による蜂の体温低下が抑制され、さらには、農薬や病原菌等の土壌からの汚染物質の暴露を抑制でき、蜂の寿命が延びる。
【００２９】
発着台３の少なくとも上面３１は、発泡樹脂によって形成されているのが望ましい。本実施形態では、発着台３の全体が発泡樹脂によって形成されている。発泡樹脂は、断熱性に優れ、発着時における蜂の体温低下を抑制する。
【００３０】
図３は、発着台３の側面図を示している。発着台３の上面３１には、第１傾斜面３３が形成されている。第１傾斜面３３は、出入口２３の側から発着台３の先端３２側に向って下方に傾斜する。第１傾斜面３３によって、蜂の発着が容易となり、発着時の蜂の体温が維持され易くなる。
【００３１】
図１、２に示されるように、出入口２３には、開閉可能な第１シャッター４が設けられている。本実施形態の第１シャッター４は、上下方向にスライド移動可能となるように側壁２２に装着され、出入口２３を開閉する。第１シャッター４を開くことにより、出入口２３から蜂が出入り可能となる。第１シャッター４を閉じることにより、蜂の出入りが制限される。例えば、ビニールハウス内に農薬を散布する際に、養蜂箱保温容器１をビニールハウス外に避難させるとき等における蜂の出入りが制限される。また、夜間等における空間２０の温度低下が抑制される。
【００３２】
図４は、養蜂箱１００を収容した養蜂箱保温容器１の断面を示している。出入口２３は、養蜂箱１００の出入口に対応する位置に配されている。本実施形態では、出入口２３は、養蜂箱保温容器１の短手方向に沿って延びる一対の側壁２８に設けられている。出入口２３は、養蜂箱保温容器１の長手方向に沿って延びる一対の側壁２７に設けられていてもよい。
【００３３】
例えば、ビニールハウスの壁部を貫通するように養蜂箱保温容器１を設置することにより、一方の出入口２３を介して、蜂がビニールハウスと養蜂箱１００の間を行き来可能となり、他方の出入口２３を介して、蜂がビニールハウスの外部と養蜂箱１００の間を行き来可能となる。これにより、ビニールハウス内の植物のみでは不足しがちな蜂の栄養が、ビニールハウス周辺の植物によって補給される。
【００３４】
なお、発着台３は、いずれの出入口２３にも装着可能である。例えば、発着台３は、第１シャッター４が開かれた側の出入口２３に装着される。図４では、一方（図中右側）の出入口２３において、第１シャッター４が開かれ、発着台３が装着される。発着台３は、第１シャッター４の開閉に関わらず、出入口２３に常時装着されていてもよく、側壁２８と一体に形成されていてもよい。
【００３５】
図５は、容器本体２の一部、すなわち、一方の側壁２８を二点鎖線で透視して示している。容器本体２の底壁２１には、水抜き口２４が設けられている。本実施形態では、出入口２３を挟んで両側に、水抜き口２４が設けられている。水抜き口２４の上端は、出入口２３の下端よりも高所に配されている。
【００３６】
水抜き口２４は、空間２０内に結露等によって溜まった水を容器本体２の外部に排出するために、底壁２１を略水平方向に貫通して設けられている。空間２０内の水が水抜き口２４から排出されることにより、空間２０内の湿度の上昇が抑制され、蜂の寿命が延びる。また、養蜂箱１００内でのカビの発生が抑制され、蜂の寿命が延びる。
【００３７】
また、底壁２１の内面には、第２傾斜面２５が形成されている。第２傾斜面２５は、出入口２３の側から水抜き口２４の側に向って下方に傾斜する。第２傾斜面２５によって底壁２１に溜まった水の移動が促進され、水抜き口２４から効率よく排出される。本実施形態では、出入口２３の両側に水抜き口２４が設けられているので、底壁２１には、一対の第２傾斜面２５が形成される。そして、第２傾斜面２５によって出入口２３の近傍に溜まった水の移動が促進されるので、発着台３の濡れが抑制され、発着時の蜂の体温低下が抑制される。
【００３８】
図１、２及び４に示されるように、養蜂箱保温容器１は、底壁２１の下面に装着されるスペーサー５をさらに含んでいる。スペーサー５は、底壁２１がスペーサー５の側から水抜き口２４の側に向って下方に傾斜する姿勢で、容器本体２を支持する。スペーサー５が底壁２１の下面に装着されることにより、底壁２１に溜まった水の移動が促進され、水抜き口２４から効率よく排出される。
【００３９】
なお、水抜き口２４は、一対の側壁２８のいずれにも設けられている。そして、スペーサー５は、底壁２１の長手方向のいずれの側にも、装着可能である。
【００４０】
図３、４に示されるように、発着台３の下面には、第３傾斜面３４が形成されている。第３傾斜面３４は、側壁２２の側から発着台３の先端３２側に向って上方に傾斜している。これにより、スペーサー５が底壁２１に装着されたときの地面と発着台３と干渉が抑制され、発着台３の破損や脱落が抑制される。
【００４１】
図６は、養蜂箱保温容器１を下方から視た斜視図である。蓋部材６が容器本体２に装着される装着部８２には、通気口８１が形成されている。装着部８２とは、蓋部材６が容器本体２に装着されたとき、容器本体２の側壁２２と蓋部材６の側壁６２とが対向する領域である（後述する図７参照）。本実施形態の通気口８１は、蓋部材６の側壁６２の内周に沿って断続的に設けられている。通気口８１は、容器本体２の側壁２２の外周に沿って断続的に設けられていてもよい。
【００４２】
通気口８１は、空間２０と容器外部とを連通させる。通気口８１によって空間２０が換気され、湿度及び温度が調整される。これにより、空間２０内での結露が抑制される。また、通気口８１は、空間２０から入り組んだ装着部８２に形成されているので、通気口８１からの蜂の出入りは抑制される。
【００４３】
図７は、図４の断面に垂直な平面での養蜂箱保温容器１の断面図である。図８は、発着台３及びスペーサー５が外された養蜂箱保温容器１の側面図である。図１、７、８に示されるように、養蜂箱保温容器１の長手方向に沿って延びる一対の側壁２７には、通気口８３が形成されている。通気口８３は、側壁２７を厚さ方向に貫通している。通気口８３によって空間２０が換気され、湿度及び温度が調整される。これにより、空間２０内での結露が抑制される。
【００４４】
図７、８に示されるように、側壁２８に養蜂箱１００の内部の様子を確認するための窓１０１が形成されている養蜂箱１００を収容する養蜂箱保温容器１にあっては、通気口８３は、養蜂箱１００の窓１０１に対向する位置に設けられるのが望ましい。これにより、通気口８３及び窓１０１を介して、養蜂箱１００の内部の様子が確認可能となる。例えば、蜂の栄養分となる砂糖水等を養蜂箱１００の内部に補給しながら蜂を飼育する場合、通気口８３及び窓１０１からその消費状況が確認されうる。
【００４５】
通気口８３には、開閉可能な第２シャッター９が設けられている、のが望ましい。第２シャッター９は、着脱自在に構成されている。図７では、一方の通気口８３のみに、第２シャッター９が装着されている。
【００４６】
本実施形態の第２シャッター９は、上下方向にスライド移動可能となるように側壁２７に装着され、通気口８３を開閉する。第２シャッター９が上下方向にスライドされることにより、通気口８３の開口面積が調整される。これにより、空間２０の湿度及び温度が微調整される。
【００４７】
側壁２７には、側壁２７から外側に突出する突出部２９が形成されている。突出部２９は、容器本体２の長手方向に延び、通気口８３の両側で側壁２７と結合されている。突出部２９によって、通気口８３の周辺で容器本体２が補強される。
【００４８】
蓋部材６が容器本体２に装着されたとき、蓋部材６の側壁６２の下端が突出部２９と当接し、蓋部材６の下降が規制される。これにより、側壁２７の上端と蓋部材６との間に空間２０ａが形成される。空間２０ａは、空間２０及び通気口８１と連通する。また、空間２０ａは、第２シャッター９を上方に移動させるとき、第２シャッター９と蓋部材６との干渉を抑制する。
【００４９】
図１、２及び６に示されるように、容器本体２には、紐７が装着可能である。容器本体２の底壁２１には、紐７の位置ずれを防止するための溝が形成されている。また、突出部２９には、紐７を通すための貫通孔２９ａが設けられている。
【００５０】
紐７は、容器本体２を吊るすために用いられる。例えば、紐７は、容器本体２を移動させる際の手提げ紐として用いることができる。これにより、作業者が蜂に刺されることが抑制される。また、紐７を用いて養蜂箱保温容器１をビニールハウスの柱等からぶら下げることにより、ビニールハウス内のスペース効率が高められ、作業者の歩行等が容易となる。さらにまた、養蜂箱保温容器１をビニールハウス外で待機等させる際には、紐７を用いて養蜂箱保温容器１を木の枝等からぶら下げることにより、蜂の天敵から養蜂箱保温容器１を遠ざけることが可能となる。また、養蜂箱保温容器１と花との距離が近くなり、蜂の栄養補給が容易となる。
【００５１】
蓋部材６の天壁６１及び側壁６２には、紐７を引っかけて収納可能な溝６３が形成されている。紐７を溝６３に引っかけることにより、蓋部材６が容器本体２に強固に固定され、風等による蓋部材６の離脱・飛散が抑制される。
【００５２】
図９は、容器本体２を示している。容器本体２は、複数の板状部品に分解可能である。本実施形態の容器本体２は、底壁２１と一対の側壁２７とが一体化された第１部品２Ａと、側壁２８を構成する一対の板状の第２部品２Ｂとによって、分割される構造である。第１部品２Ａと第２部品２Ｂとは、組立後に分解可能である。
【００５３】
容器本体２を第１部品２Ａと第２部品２Ｂとの分割構造とすることにより、容器本体２の製造に用いられる金型が簡素化され、養蜂箱保温容器１の製造コストを低減できる。また、第１部品２Ａと第２部品２Ｂとを分割された状態とすることにより、コンパクトに保管することが可能となる。養蜂箱１００を容器本体２に収容又は取り出す際、第２部品２Ｂを取外すことにより、養蜂箱１００を容器本体２の長手方向に移動させることが可能となり、作業性が向上する。
【００５４】
以上、本発明の養蜂箱保温容器１が詳細に説明されたが、本発明は上記の具体的な実施形態に限定されることなく種々の態様に変更して実施される。
【００５５】
例えば、底壁２１と一対の側壁２７とが、さらに分解可能に構成されていてもよい。これにより、複数の板状部材によって容器本体２が構成されることとなり、容器本体２の製造に用いられる金型がより一層簡素化される。また、容器本体２をより一層コンパクトに保管することが可能となる。
【００５６】
また、蓋部材６の側壁６２が下方に延出された形態にあっては、側壁６２に出入口及び発着台が設けられてもよい。
【符号の説明】
【００５７】
１      養蜂箱保温容器
２      容器本体
３      発着台
４      第１シャッター
５      スペーサー
６      蓋部材
７      紐
８      蓋部材
９      第２シャッター
２０    空間
２０ａ  空間
２１    底壁
２２    側壁
２３    出入口
２３ａ  下端縁
２４    水抜き口
２５    第２傾斜面
２６    開口
３１    上面
３２    先端
３３    第１傾斜面
３４    第３傾斜面
８１    通気口
８２    装着部
８３    通気口
１００  養蜂箱
【図１】
2020115836.tif 000003
【図２】
2020115836.tif 000004
【図３】
2020115836.tif 000005
【図４】
2020115836.tif 000006
【図５】
2020115836.tif 000007
【図６】
2020115836.tif 000008
【図７】
2020115836.tif 000009
【図８】
2020115836.tif 000010
【図９】
2020115836.tif 000011